(57)【特許請求の範囲】
【請求項１】
ピアス孔に挿通可能な挿通用軸部（３）を少なくとも先端に備え、清浄用薬液（ｙ）を吸収可能な綿等の清浄部（５）を挿通用軸部（３）の外周に備え、この清浄部（５）に清浄用の薬液（ｙ）を付けてピアス孔に挿通することによって、ピアス孔を清浄することを特徴とするピアス孔の清浄具において、
挿通用軸部（３）が清浄部（５）より硬質であり、この硬質の挿通用軸部（３）の先端部が清浄部（５）より露出しており、
清浄部（５）が、軸方向において同じ外径を備えたストレート部分（５１）と、ストレート部分（５１）より基端側に向かうに従って徐々に径が大きくなるテーパ部分（５２）とを備えたことを特徴とするピアス孔の清浄具。
【請求項２】
挿通用軸部（３）が、軸方向において同じ外径を備えたストレート部分（３１）と、ストレート部分（３１）より基端側に向かうに従って徐々に径が大きくなるテーパ部分（３２）とを備え、ストレート部分（３１）とテーパ部分（３２）の外周に略同一厚みで清浄部（５）を形成することにより、清浄部（５）のストレート部分（５１）とテーパ部分（５２）とが形成されたものであることを特徴とする請求項１記載のピアス孔の清浄具。
【請求項３】
挿通用軸部（３）がストレート部分（３１）のみからなり、その外周に巻き付ける清浄部（５）の厚みを変更することによって、清浄部（５）について、径の均一なストレート部分（５１）と径が漸次大きくなるテーパ部分（５２）とを設けたことを特徴とする請求項１記載のピアス孔の清浄具。
【請求項４】
清浄具が先端に上記挿通用軸部（３）を備えると共に基端に綿棒部（６）を備えたことを特徴とする請求項１乃至３の何れかに記載のピアス孔の清浄具。
【請求項５】
請求項１乃至４の何れかに記載の清浄具と、この清浄具の清浄部（５）に付ける清浄用の薬液（ｙ）を収納した容器（７）とを備えたことを特徴とする清浄具セット。
【請求項６】
容器（７）が清浄用の薬液（ｙ）を収納した容器本体（８）とこの容器本体（８）の口部（８１）に対して着脱可能に閉じる蓋体（９）とを備え、この蓋体（９）にスポイド（９１）が設けられ、
口部（８１）から容器本体（８）内に清浄具の挿通用軸部（３）を挿入して清浄部（５）に清浄用の薬液（ｙ）を付けることができると共に、口部（８１）から容器本体（８）内にスポイド（９１）を挿入して容器本体（８）内の清浄用の薬液（ｙ）を吸引して吐出することができるようにした請求項５記載の清浄具セット。
【発明の詳細な説明】
【０００１】
【発明の属する技術分野】
本願発明は、人の耳たぶ等の身体に開けたピアス孔を清浄するための清浄具並びに清浄具セットに関するものである。
【０００２】
【従来の技術】
ピアスを付けるため、耳たぶ等の身体に、小さなピアス孔を開ける人が増えているが、ピアス孔を不潔にしておくと、雑菌が入って炎症を起こしたりするなどの問題がある。
そのため、消毒液等の清浄液を綿棒や脱脂綿等で付けたりすることがあるが、ピアス孔は小さな孔であるため、孔の内部までうまく清浄できないという問題がある。
【０００３】
【発明が解決しようとする課題】
そこで、本願発明はピアス孔内も確実に清浄することができる清浄具を開発せんとするものである。
この課題を解決するため、本願発明者は、ピアス孔に挿通可能な挿通用軸部を少なくとも先端に備え、清浄用薬液を吸収可能な綿等の清浄部を挿通用軸部の外周に備え、この清浄部に清浄用の薬液を付けてピアス孔に挿通することによって、ピアス孔を清浄するピアス孔の清浄具を開発した。
この清浄具は、細い挿通用軸部の周囲に脱脂綿等を薄く巻き付けることによって清浄部を形成し、この清浄部に薬液を付けて用いることにより、小さなピアス孔にも挿通でき、しかも、ピアス孔内も確実に薬液で清浄できるものである。
ところが、ピアス孔は小さいことは勿論、柔軟な耳たぶに開けられているのが大半であるため、先端まで脱脂綿等の清浄部に覆われていると、上手く、ピアス孔に挿入することができないことが判明した。
そこで、本願発明は、薬液を付けた清浄部にてピアス孔を清浄できることは勿論、その使用に際して、無理なく、円滑に、清浄部をピアス孔に挿入することができるようにした清浄具の提供を目的とする。
さらに、ピアス孔は小さいとは言え、人によって孔の大きさが一様ではなく、多少の大小がある。そのため、大きな孔の人に対して細い清浄具を用いると、充分に清浄できない感じを与え、大きな孔の人に対して比較的太い清浄具を用いると、上手く挿入できず、挿入できても孔を不必要に広げてしまう結果となる。
そこで、本願発明は、薬液を付けた清浄部にてピアス孔を清浄できることは勿論、その使用に際して、ピアス孔の大小があっても、いずれの人にも満足のいく清浄が可能な清浄具の提供を目的とする。
また、ピアス孔の清浄具は、ピアス孔の清浄を目的とするが、ピアス孔内のみならず、ピアス孔周辺の耳たぶ等を清浄しておく方が、ピアス孔内に雑菌等が入るおそれが少なくなる。ところが、耳たぶ等を清浄するには、上記の清浄部では細すぎて上手く清浄することができない。
そこで、本願の第４の発明は、薬液を付けた清浄部にてピアス孔を清浄できることは勿論、ピアス孔周辺の耳たぶ等も同時に清浄することができる清浄具の提供を目的とする。
さらに、清浄に際しては、薬液を付けることが必要となるが、適当な薬液が身近にない場合が多く、せっかくの清浄具が使えないことがある。
そこで、本願の第５の発明は、清浄具に適する薬液をすぐに使えるようにした清浄具セットを提供せんとするものである。
さらにまた、薬液を使うに際して、未使用の清浄具を薬液中に浸けることは抵抗がないが、使った清浄具にさらに薬液を追加して付着させて使いたい場合等、一度使った清浄具を薬液中に浸けることは抵抗があり、容器中の薬液全体が汚染されるおそれがある。また、脱脂綿等を薬液中に浸けることも抵抗がある。
そこで、本願の第６の発明は、未使用の清浄具を薬液中に浸けることができることは勿論、薬液中に浸けずとも使用できるようにした清浄具セットを提供せんとするものである。
【０００４】
【課題を解決するための手段】
本願の第１の発明は、ピアス孔に挿通可能な挿通用軸部３を少なくとも先端に備え、清浄用薬液ｙを吸収可能な綿等の清浄部５を挿通用軸部３の外周に備え、この清浄部５に清浄用の薬液ｙを付けてピアス孔に挿通することによって、ピアス孔を清浄することを特徴とするピアス孔の清浄具において、挿通用軸部３が清浄部５より硬質であり、この硬質の挿通用軸部３の先端部が清浄部５より露出しており、清浄部５が、軸方向において同じ外径を備えたストレート部分５１と、ストレート部分５１より基端側に向かうに従って徐々に径が大きくなるテーパ部分５２とを備えたことを特徴とするピアス孔の清浄具を提供する。
本願の第２の発明は、上記の第１の発明に係るピアス孔の清浄具にあって、挿通用軸部３が、軸方向において同じ外径を備えたストレート部分３１と、ストレート部分３１より基端側に向かうに従って徐々に径が大きくなるテーパ部分３２とを備え、ストレート部分３１とテーパ部分３２の外周に略同一厚みで清浄部５を形成することにより、清浄部５のストレート部分５１とテーパ部分５２とが形成されたものであることを特徴とするものを提供する。
本願の第３の発明は、上記の第１の発明に係るピアス孔の清浄具にあって、挿通用軸部３がストレート部分３１のみからなり、その外周に巻き付ける清浄部５の厚みを変更することによって、清浄部５について、径の均一なストレート部分５１と径が漸次大きくなるテーパ部分５２とを設けたことを特徴とする請求項１記載のピアス孔の清浄具を提供する。
本願の第４の発明は、上記の第１乃至第３の何れかの発明に係るピアス孔の清浄具にあって、清浄具が先端に上記挿通用軸部３を備えると共に基端に綿棒部６を備えたことを特徴とするものを提供する。
本願の第５の発明は、上記の第１乃至第４の何れかの発明に係るピアス孔の清浄具と、この清浄具の清浄部５に付ける清浄用の薬液ｙを収納した容器７とを備えたことを特徴とする清浄具セットを提供する。
本願の第６の発明は、上記の第５の発明に係るピアス孔の清浄具セットにあって、容器７が清浄用の薬液ｙを収納した容器本体８とこの容器本体８の口部８１に対して着脱可能に閉じる蓋体９とを備え、この蓋体９にスポイド９１が設けられ、口部８１から容器本体８内に清浄具の挿通用軸部３を挿入して清浄部５に清浄用の薬液ｙを付けることができると共に、口部８１から容器本体８内にスポイド９１を挿入して容器本体８内の清浄用の薬液ｙを吸引して吐出することができるようにしたものを提供する。
【０００５】
【発明の実施の形態】
以下、図面に基づき本願発明の実施の形態を説明する。
図１は、第１の実施の形態に係るピアス孔の清浄具セットを示すもので、（Ａ）は清浄具の正面図、（Ｂ）は容器の断面図である。図２は清浄具の要部拡大断面図である。
【０００６】
この清浄具セットは、ピアス孔の清浄具１と、清浄用の薬液を収納した容器７とを備える。
【０００７】
清浄具１は、軸本体２と、この軸本体２の先端側に設けられた清浄部５と、基端側に設けられた綿棒部６とを備える。軸本体２は、先端側の挿通用軸部３と基端側の把持用軸部４とからなる。
【０００８】
軸本体２は、合成樹脂や金属により成形されたものが適するが、紙シートを巻回して軸（若しくは筒）状にしたものであってもよく、適宜素材によって形成できる。挿通用軸部３は、人の耳たぶ等に開けられたピアス孔（図示せず）に挿通可能な太さを有するものであり、１mm以下、より望ましくは０．１〜０．５mm程度の直径とする。この挿通用軸部３は、その軸方向において同じ外径を備えたものとして実施することもできるが、この例では、軸方向において同じ外径を備えたストレート部分３１と、ストレート部分３１より基端側に向かうに従って徐々に径が大きくなるテーパ部分３２とを備える。そして、挿通用軸部３の先端部３３（言い換えれば、ストレート部分３１の先端）は、丸みを帯びた形状になっている。
【０００９】
挿通用軸部３の外周には、清浄用の薬液を吸収可能な清浄部５が設けられている。この清浄部５は、脱脂綿等の綿や合成繊維等の綿状の繊維を、挿通用軸部３の外周に巻き付けて形成したものである。その外径は、ピアス孔に挿入できるものとし、具体的には、２mm以下とすることが望ましい。
この清浄部５は、繊維を挿通用軸部３外周に単に巻き付けるだけで固定したものであってもよいが、固定を確実になすために、接着剤等によって固定してもよい。具体的には、挿通用軸部３の外周に接着剤を付けて繊維を巻き付ける等、接着剤によって繊維の吸液性を大きく損なわない形態とすることが望ましい。また、用いる接着剤は、清浄用の薬液によって溶解せず、清浄用の薬液を汚染しないものを用いるのが適している。使用に際しては、この清浄部５に薬液を付けて、ピアス孔に挿入することによって、孔内を清浄するものである。
【００１０】
清浄部５は、先端部３３は覆わずに、ストレート部分３１とテーパ部分３２とを覆うようにしている。清浄部５は、吸液性を有するものの柔軟であり、他方、挿通用軸部３は、清浄部５より硬質である。従って、硬質な挿通用軸部３の先端部３３を露出させておくことによって、無理なくピアス孔に先端部３３を挿入でき、これに引き続いて清浄部５をピアス孔に円滑に挿通することができる。
【００１１】
また、この例では、挿通用軸部３がストレート部分３１とテーパ部分３２とを備えており、その外周に略同一厚みで清浄部５を形成しているため、清浄部５についても、径の均一なストレート部分５１と径が漸次大きくなるテーパ部分５２とが設けられることとなる。そして、ピアス孔の大きな人については、テーパ部分５２までピアス孔内に挿入することによって、それぞれの大きさのピアス孔に応じた清浄を行うことができる。
【００１２】
挿通用軸部３の基端側には、把持用軸部４が設けられている。この把持用軸部４は、挿通用軸部３より大径であり、人が指で持つのに適当な外径と長さを有するものとする。挿通用軸部３の基端側、即ち、軸本体２の基端には綿棒部６が設けられている。この綿棒部６は、脱脂綿等の綿や合成繊維等の綿状の繊維を、挿通用軸部３の外周に、直径１cm前後となるように巻き付けて形成したものである。清浄部５は、繊維を挿通用軸部３外周に単に巻き付けるだけで固定したものであってもよいが、固定を確実になすために接着剤等によって固定してもよい。
【００１３】
次に、この清浄具１の清浄部５に付ける清浄用の薬液ｙを収納した容器７について説明する。この容器７は、清浄用の薬液ｙを収納した容器本体８と、容器本体８の上部に開口した口部８１に対し、着脱可能に閉じる蓋体９とを備える。この蓋体９にスポイド９１が設けられている。詳しくは、蓋体９の外側（上側）には、スポイド９１の伸縮部９２が設けられ、この伸縮部９２から延設された筒部９３が蓋体９を貫通して蓋体９の内側（下側）にまで延設されている。容器本体８に蓋体９を装着した状態で、この筒部９３の下端は、容器本体８の下端付近にまで達している。図では、蓋体９は、容器本体８の上部に開口した口部８１に嵌合した状態で装着されているが、螺合等の他の着脱手段で容器本体８の口部８１を塞ぐものであればよい。
【００１４】
使用に際しては、清浄具１を、口部８１から容器本体８内に挿入して、薬液ｙに挿通用軸部３を浸す。その際、挿通用軸部３の先端部３３が容器本隊８の底部に達した状態で、清浄具１の基端が口部８１より外側に出ているものとすることによって、浸し易いものとなる。このように、清浄部５に薬液ｙを付けた状態で、ピアス孔に、挿通用軸部３の先端部３３から清浄部５を通して、適宜動かすことによって、ピアス孔内を清浄する。尚、薬液ｙは、消毒液等の殺菌力を有するものであってもよく、殺菌力は低くても汚れなどを落とす作用をするものであってもよい。
このように、清浄部５を容器本体８内に挿入して薬液ｙに浸す他、スポイド９１によって、薬液ｙを吸い上げ、清浄部５、綿棒部６或いは、脱脂綿等の他の吸液体に付けてもよい。このように、スポイド９１を蓋体９に設けておくことによって、綿棒部６や他の吸液体に薬液ｙを簡単に付けることができ、ピアス孔の周辺についても併せて清浄することができ、しかも、容器本体８内の薬液ｙを汚染することもない。
【００１５】
次に、図３（Ａ）（Ｂ）は他の実施の形態を示す要部拡大断面図であり、（Ａ）の例では、挿通用軸部３がストレート部分３１のみからなり、その外周に巻き付ける繊維の厚みを変更することによって、清浄部５について、径の均一なストレート部分５１と径が漸次大きくなるテーパ部分５２とを設けたものである。尚、挿通用軸部３の先端部３３は、先の例では丸みを帯びたものとしているが、この例では、円筒状の端部としている。（Ｂ）の例では、挿通用軸部３の先端部３３を、ストレート部分３１（先端部３３より基端側の部位）より、大きく形成している。これにより、挿通用軸部３の外周の清浄部５が、ピアス孔により円滑に挿入できるようにしている。
【００１６】
なお、挿通用軸部３には、小さな突起や凹凸を形成しておき、清浄部５を形成する繊維をより確実に固定できるようにしてもよい。綿棒部６は設けずに実施することもでき、また、綿棒部６に代えて耳かきを形成するようにしてもよく、両端に清浄部５を形成することもできるものである。
【００１７】
【発明の効果】
本願の第１の発明は、ピアス孔内を確実に清浄することができる清浄具を提供することができたものであり、挿通用軸部を清浄部より硬質とし、この硬質の挿通用軸部の先端部を清浄部より露出させたものであるため、柔軟な耳たぶに開けられた小さなピアス孔に対しても、硬質な先端部から上手く挿入でき、それに引き続き脱脂綿等の清浄部が挿通されるため、円滑な清浄作業を行うことができるという効果を発揮する。しかも、清浄部５が、軸方向において同じ外径を備えたストレート部分５１と、ストレート部分５１より基端側に向かうに従って徐々に径が大きくなるテーパ部分５２とを備えているため、ピアス孔の大小があっても、テーパ部分を無理のない外径まで挿入していくことによって、いずれの人にも満足のいく清浄が可能となったものである。
本願の第４の発明は、清浄具が先端に上記挿通用軸部を備えると共に基端に綿棒部を備えたものであるため、綿棒部によって、ピアス孔周辺の耳たぶ等を清浄することができ、ピアス孔内のみならずピアス孔周辺についても同時に１本の清浄具で清浄することが可能となったものである。
本願の第５の発明は、ピアス孔の清浄具と、この清浄具の清浄部に付ける清浄用の薬液を収納した容器とを備えた清浄具セットを提供することにより、清浄具と、それに適した薬液がセットとして入手できるようになったものである。
本願の第６の発明は、清浄具を容器本体内の薬液中に浸けて使用することができることは勿論、薬液中に浸けずとも、蓋体に設けられたスポイドによって清浄部や綿棒部や他の脱脂綿等に薬液を付けることができ、容器中の薬液全体が汚染されるおそれをなくすことができたものである。
【図面の簡単な説明】
【図１】  本願発明の実施の形態に係るピアス孔の清浄具セットを示すもので、（Ａ）は清浄具の正面図、（Ｂ）は容器の断面図である。
【図２】  同清浄具の要部拡大断面図である。
【図３】  （Ａ）（Ｂ）は、それぞれ他の実施の形態に係る清浄具の要部拡大断面図である。
【符号の説明】
１      清浄具
３      挿通用軸部
５      清浄部
５１    ストレート部分
５２    テーパ部分
７      容器
８      容器本体
９      蓋体
９１    スポイド
【図１】
0003688541.tif 000002
【図２】
0003688541.tif 000003
【図３】
0003688541.tif 000004